(57)【要約】【課題】暗闇の場合であっても、ユーザのジェスチャーを有効に識別できる。【解決手段】電子機器（１０、１０ａ）は、複数のコイル（１２０、１２１、…）と制御部（１５０）とを備えている電子機器（１０、１０ａ）であって、複数のコイル（１２０、１２１、…）におけるインピーダンスの変化を検出する検出部（１３０、１３１、…）を備え、制御部（１５０）は、検出部（１３０、１３１、…）が検出した複数のコイル（１２０、１２１、…）における上記インピーダンスの変化を参照して、ユーザのジェスチャーを識別する。【選択図】図１
2020071772.tif 000002
【特許請求の範囲】
【請求項１】
複数のコイルと制御部とを備えている電子機器であって、
上記複数のコイルにおけるインピーダンスの変化を検出する検出部を備え、
上記制御部は、
上記検出部が検出した上記複数のコイルにおける上記インピーダンスの変化を参照して、ユーザのジェスチャーを識別する
ことを特徴とする電子機器。
【請求項２】
上記制御部は、
識別したユーザのジェスチャーに応じて、前記複数のコイルの何れかを介した給電処理を制御する
ことを特徴とする請求項１に記載の電子機器。
【請求項３】
上記制御部は、
識別したユーザのジェスチャーが第１のジェスチャーである場合に、前記コイルを介した給電処理を開始することを特徴とする請求項２に記載の電子機器。
【請求項４】
上記制御部は、
識別したユーザのジェスチャーが第２のジェスチャーである場合に、前記コイルを介した給電処理を停止することを特徴とする請求項２又は３に記載の電子機器。
【請求項５】
上記制御部は、
上記給電処理の効率を示す効率情報を参照し、当該効率情報が示す効率が所定の値よりも小さい場合に、ユーザに対して、給電対象物の再配置を促す
ことを特徴とする請求項２から４の何れか１項に記載の電子機器。
【請求項６】
上記制御部は、
前記複数のコイルが配置されたパネルに、当該複数のコイルの各々の位置を表示させることにより、ユーザに対して、上記給電対象物の再配置を促す
ことを特徴とする請求項５に記載の電子機器。
【請求項７】
上記制御部は、
給電対象物から取得した情報を参照して、前記複数のコイルから、当該給電対象物に対する最適なコイルを特定し、
上記給電対象物への給電が、上記最適なコイルを介して行われていない場合に、ユーザに対して、上記最適なコイルを介した給電を行うよう促す
ことを特徴とする請求項１から６の何れか１項に記載の電子機器。
【請求項８】
上記制御部は、
前記複数のコイルが配置されたパネルに、上記最適なコイルの位置を表示させることにより、ユーザに対して、上記最適なコイルを介した給電を行うよう促す
ことを特徴とする請求項７に記載の電子機器。
【請求項９】
複数のコイルを備えている電子機器を制御する制御装置であって、
上記電子機器は、上記複数のコイルにおけるインピーダンスの変化を検出する検出部を備え、
当該制御装置は、
上記検出部が検出した複数のコイルにおけるインピーダンスの変化を参照して、ユーザのジェスチャーを識別するジェスチャー識別部
を備えることを特徴とする制御装置。
【請求項１０】
複数のコイルを備えている電子機器を制御する制御装置の制御方法であって、
上記複数のコイルにおけるインピーダンスの変化を検出する検出工程と、
上記検出工程にて検出した上記複数のコイルにおける上記インピーダンスの変化を参照して、ユーザのジェスチャーを識別する識別工程と、を含む
ことを特徴とする制御方法。
【発明の詳細な説明】
【技術分野】
【０００１】
本発明は電子機器に関する。
【背景技術】
【０００２】
従来、ジェスチャーにより機器の操作が可能なインターフェース装置が知られている。例えば、特許文献１には、ＣＣＤカメラにユーザが向い、例えば手振りによって指示を与えると、与えた手振りによって矢印カーソルのアイコンで仮想スイッチ等を選択できるインターフェース装置が記載されている。
【先行技術文献】
【特許文献】
【０００３】
【特許文献１】特開２００４−０７８９７７号公報
【発明の概要】
【発明が解決しようとする課題】
【０００４】
しかしながら、上述のような従来技術は暗闇等のカメラが使用できない状況では使えないという問題がある。
【０００５】
本発明の一態様は、暗闇の場合であっても、ユーザのジェスチャーを有効に識別できることを目的とする。
【課題を解決するための手段】
【０００６】
上記の課題を解決するために、本発明の一態様に係る電子機器は、複数のコイルと制御部とを備えている電子機器であって、上記複数のコイルにおけるインピーダンスの変化を検出する検出部を備え、上記制御部は、上記検出部が検出した上記複数のコイルにおける上記インピーダンスの変化を参照して、ユーザのジェスチャーを識別する。
【発明の効果】
【０００７】
本発明の一態様によれば、暗闇の場合であっても、ユーザのジェスチャーを有効に識別できる。
【図面の簡単な説明】
【０００８】
【図１】本発明の実施形態１に係る電子機器を含む給受電システムの要部構成のブロック図である。
【図２】図１における電子機器のコイル配置の一例を示す図である。
【図３】図１における給受電システムの給電処理のフローチャートである。
【図４】図１における電子機器のパネル表示の変化を示す図である。
【図５】本発明の実施形態２に係る給受電システムの給電処理のフローチャートである。
【図６】図５における電子機器のパネル表示の変化を示す図である。
【図７】本発明の実施形態３に係る電子機器のコイル配置に一例を示す図である。
【図８】図７における電子機器を含む給受電システムの給電処理のフローチャートである。
【図９】図７における電子機器のパネル表示の変化を示す図である。
【図１０】本発明に係る電子機器に対してユーザによるジェスチャーの一例を示す模式図である。
【発明を実施するための形態】
【０００９】
〔実施形態１〕
以下、本実施形態について、図１〜４、及び図１０を参照して詳細に説明する。
【００１０】
（給受電システムの要部構成）
図１は、本実施形態に係る電子機器１０を含む給受電システムの要部構成のブロック図である。図１に示すように、給受電システムは、電子機器１０と、受電器２０とを備えている。電子機器１０の一例として、例えばスマートフォンが挙げられるが本実施形態ではスマートフォンに限定されない。また、給電対象物である受電器２０の一例として、例えばウェアラブル機器等が挙げられる。図１に示すように、受電器２０は、受電コイル２１と、第２通信部２２とを備える。なお、電子機器１０が給電機能を備えることは、本実施形態において必須の事項ではない。
【００１１】
（電子機器）
以下、本実施形態に係る電子機器１０について、同図１〜４、及び図１０を参照して詳細に説明する。
【００１２】
図１に示すように、電子機器１０は、複数のコイル（第１コイル１２０、第２コイル１２１、…）が配置されたパネル１１０と、電子機器１０に電力を供給する電力供給部１７０と、電力供給部１７０が供給する電力を制御する制御部１５０と、複数のコイル（第１コイル１２０、第２コイル１２１、…）におけるインピーダンスの変化を検出する検出部（第１検出部１３０、第２検出部１３１、…）と、複数のコイル（第１コイル１２０、第２コイル１２１、…）への電力供給をＯＮ/ＯＦＦする複数のスイッチ（第１スイッチ１４０、第２スイッチ１４１、…）と、第１通信部１６０を備えている。
【００１３】
パネル１１０は、上述のように複数のコイルが配置される。パネル１１０は、これら複数のコイルに重畳して表示パネルを備える構成としてもよい。
【００１４】
制御部１５０は、検出部（第１検出部１３０、第２検出部１３１、…）が検出した複数のコイル（第１コイル１２０、第２コイル１２１、…）における上記インピーダンスの変化を参照して、ユーザのジェスチャーを識別する。
【００１５】
以下では、第１コイル１２０、第２コイル１２１、…を合わせて、単に「複数のコイル」とも表記し、第１検出部１３０、第２検出部１３１、…を合わせて、単に「検出部」とも表記し、第１スイッチ１４０、第２スイッチ１４１、…を合わせて、単に「複数のスイッチ」とも表記する場合がある。
【００１６】
制御部１５０は、接続制御部１５１と、電力制御部１５２と、ジェスチャー識別部１５３とを備えている。接続制御部１５１は、複数のコイルへの電力供給をＯＮ/ＯＦＦする複数のスイッチを制御する。電力制御部１５２は、電力供給部１７０が供給する電力を制御する。ジェスチャー識別部１５３は、ユーザのジェスチャーを識別する。また、制御部１５０は、検出部の動作をも制御する。
【００１７】
（インピーダンス変化によるジェスチャー識別方法例１）
インピーダンス変化によるジェスチャー識別方法の一例として、例えば以下の方法が挙げられる。複数のコイルのいずれか１つ、例えば第１コイル１２０に受電器２０を置いた場合、当該コイルのインピーダンスは変化する。そして、この変化は、検出部のいずれか１つ、例えば第１検出部１３０に検出される。
【００１８】
そして、ユーザが受電器２０を移動させた場合、例えば第２コイル１２１に近づくように受電器２０を移動させた場合、当該コイルのインピーダンスも変化する。この変化も、検出部のいずれか１つ、例えば第２検出部１３１に検出される。
【００１９】
このように、制御部１５０は、検出部が検出した複数のコイルにおけるインピーダンスの変化の時間差を参照して、受電器２０を持ったユーザのジェスチャーを識別することができる。
【００２０】
（インピーダンス変化によるジェスチャー識別方法例２）
インピーダンス変化によるジェスチャー識別方法の他の例として、例えば以下の方法が挙げられる。複数のコイルのいずれか１つ、例えば第１コイル１２０に受電器２０を置いた場合、当該コイルのインピーダンスは変化する。そして、この変化は、検出部のいずれか１つ、例えば第１検出部１３０に検出される。
【００２１】
そして、ユーザが指を移動させた場合、例えば第２コイル１２１に近づくように指を移動させた場合、当該コイルのインピーダンスが変化する。この変化は、検出部のいずれか１つ、例えば第２検出部１３１に検出される。
【００２２】
このように、制御部１５０は、検出部が検出した複数のコイルにおけるインピーダンスの変化の時間差を参照して、指を移動させたユーザのジェスチャーを識別することができる。
【００２３】
なお、図１において、複数のコイル１２０、１２１、…が図示され、検出部とスイッチとの個数はコイルの個数と等しいことが好ましいが、複数のコイル１２０、１２１、…におけるインピーダンスの変化を検出でき、複数のコイルへの電力供給をＯＮ/ＯＦＦすることができれば、検出部とスイッチとの個数はコイルの個数よりも少なくてもよい。
【００２４】
（ジェスチャーの例）
ジェスチャー識別部１５３が識別するユーザによるジェスチャーの種類は本実施形態を限定するものではないが、例えば指を時計回りに回すことが挙げられる。ジェスチャーの他の例として、例えば指を反時計回りに回すことが挙げられる。ジェスチャーのさらに他の例として、例えば指を水平方向或いは垂直方向に動かすか、又は指を斜め方向に動かすなどの例が挙げられる。
【００２５】
図１０は、本実施形態に係る電子機器１０に対してユーザによるジェスチャーの一例を示す模式図である。図１０に示すように、ユーザは、受電器２０を電子機器１０のコイル１２０上に置いた後、指を反時計回りに左右両側の６つのコイル１２１、１２２、１２８、１２７および１２６上で動かす様子を示している。
【００２６】
上記の構成によれば、複数のコイルのインピーダンスの変化によってユーザのジェスチャーを識別するので、暗闇の場合であっても、ユーザのジェスチャーを有効に識別できる。
【００２７】
また、電子機器１０は、第１通信部１６０を介して外部機器、例えば上述の給電対象物である受電器２０との間で給電に関するネゴシエーションを行う。
【００２８】
ネゴシエーションに含まれる処理の一例として、例えば電子機器１０は第１通信部１６０を介して通信相手である受電器２０のＩＤ情報を取得して、当該受電器２０は給電対象の受電器であるか否かを判定することが挙げられる。また、ネゴシエーションに含まれる処理の他の例として、例えば電子機器１０は第１通信部１６０を介して通信相手である受電器２０の仕様情報を取得して、当該受電器２０の仕様情報から給電対象の受電器であるか否かを判定することが挙げられる。
【００２９】
（コイル配置）
図２は、図１における電子機器１０のコイル配置の一例を示す図である。図２に示すように、複数のコイル、例えば第１コイル１２０、第２コイル１２１、…、第９コイル１２８が、電子機器１０のパネル１１０において、例えば透明電極によりアレイ状に配置されている。電子機器１０のパネル１１０に透明電極により必要なサイズの複数のコイルが配置される。
【００３０】
ここでいう必要なサイズとは、各種規格上定められている場合は規定のサイズを言い、定められていない場合は意図する組み合わせの受電器２０に対して必要な電力を供給可能なサイズを言う。
【００３１】
（給電処理のフローチャート）
図３は、図１における給受電システムの給電処理のフローチャートである。図３に示すように、まず、ステップＳ１０１において、制御部１５０は、検出部が複数のコイルにおけるインピーダンスの変化を検出できたか否かを判定する。
【００３２】
次に、ステップＳ１０１にて検出部は複数のコイルにおけるインピーダンスの変化を検出できた場合（ステップＳ１０１：ＹＥＳ）、ステップＳ１０２において、制御部１５０が備えるジェスチャー識別部１５３は、検出部が検出した複数のコイルにおけるインピーダンスの変化を参照して、ユーザのジェスチャーを識別する。一方、ステップＳ１０１にて検出部は複数のコイルにおけるインピーダンスの変化を検出できなかった場合（ステップＳ１０１：ＮＯ）、ステップＳ１０１に戻る。
【００３３】
そして、ステップＳ１０３において、制御部１５０は、ジェスチャー識別部１５３が識別したユーザのジェスチャーが、予め設定されたユーザの特定のジェスチャーであるか否かを判定する。
【００３４】
次に、ジェスチャー識別部１５３が識別したユーザのジェスチャーが、予め設定されたユーザの特定のジェスチャーである場合（ステップＳ１０３：ＹＥＳ）、ステップＳ１０４において、所定の制御を実施する。
【００３５】
一例として、制御部１５０は、識別したユーザのジェスチャーが第１のジェスチャーである場合に、所定の制御として、前記コイルを介した給電処理を開始し、識別したユーザのジェスチャーが第２のジェスチャーである場合に、所定の制御として、前記コイルを介した給電処理を停止してもよい。
【００３６】
制御部１５０が識別する上記第１のジェスチャーの例として、ユーザが指を時計回りに回す、指を水平方向の右方向に動かす、および垂直または斜め下方向に動かすジェスチャー等が挙げられる。また、第２のジェスチャーとして、ユーザが指を反時計回りに回す、指を水平方向の左方向に動かす、および垂直または斜め上方向に動かすジェスチャー等が挙げられる。第１のジェスチャーと第２のジェスチャーは互いに異なっていることが好ましい。
【００３７】
上記の構成によれば、電子機器１０は、識別したユーザの第１のジェスチャーに応じて、前記コイルを介した給電処理を好適に開始し、識別したユーザのジェスチャーが第２のジェスチャーである場合に、前記コイルを介した給電処理を好適に停止することができる。
【００３８】
以上のように、制御部１５０は、識別したユーザのジェスチャーに応じて、複数のコイルの何れかを介した給電処理を制御してもよい。
【００３９】
上記の構成によれば、電子機器１０は、識別したユーザのジェスチャーに応じて、複数のコイルの何れかを介した給電処理を好適に制御することができる。
【００４０】
図３に戻って給電処理のフローチャートの説明を続ける。
【００４１】
ジェスチャー識別部１５３が識別したユーザのジェスチャーは、予め設定されたユーザの特定のジェスチャーでない場合（ステップＳ１０３：ＮＯ）、ステップＳ１０５へ進む。
【００４２】
次に、ステップＳ１０５において、電子機器１０は、自身が備える第１通信部１６０と、受電器２０が備える第２通信部２２とを介して、受電器２０との間で給電に関するネゴシエーションを開始する。
【００４３】
次に、ステップＳ１０６において、電子機器１０における制御部１５０は、通信相手が給電対象の受電器である否かを判定する。そして、通信相手が給電対象の受電器である場合（ステップＳ１０６：ＹＥＳ）、ステップＳ１０７において、電子機器１０から受電器２０への給電を開始する。一方、通信相手が給電対象の受電器でない場合（ステップＳ１０６：ＮＯ）、ステップＳ１０１に戻る。
【００４４】
次に、ステップＳ１０８において、給電開始後、検出部により電子機器１０のコイルに他の物体（異物）が載せられたか否かを検出する。
【００４５】
一例として、複数のコイルにおける何れかのコイルのインピーダンスが変化したか否か、及び、ネゴシエーションが成立したか否かに応じて、異物が載せられたか否かを特定する方法が挙げられる。
【００４６】
次に、検出部により異物が検出された場合（ステップＳ１０８：ＹＥＳ）、ステップＳ１０９において、直ちに給電を停止し、異物が取り除かれるまで給電しない。一方、検出部により異物が検出されなかった場合（ステップＳ１０８：ＮＯ）、ステップＳ１１０へ進む。
【００４７】
次に、ステップＳ１１０において、制御部１５０は、給電が終了したか否かを判定する。給電が終了した場合（ステップＳ１１０：ＹＥＳ）、給電処理のフローチャートが終了する。一方、給電が終了していない場合（ステップＳ１１０：ＮＯ）、ステップＳ１０８に戻る。
【００４８】
（電子機器のパネル表示の変化）
図４は、図１における電子機器１０のパネル表示の変化を示す図である。図４では、パネル表示を消去した例を示している。具体的には、図４における符号１２０ｂ、１２１ｂ、…１２８ｂは、それぞれコイル１２０、１２１、…、１２８に対応したコイル位置を示す。
【００４９】
パネル上に給電のための案内表示がされている場合に、例えば電子機器上においてユーザが円を描くような動作を検出部により検出すると、制御部１５０は、給電処理を開始してうえで、コイル位置等給電に関する表示を非表示にする。更に他の例として、例えば逆に給電開始時に制御部によりコイル位置は表示しないが、上記動作を検出時に、コイル位置を表示してもよい。
【００５０】
〔実施形態２〕
本発明の他の実施形態について、以下に説明する。なお、説明の便宜上、上記実施形態にて説明した部材と同じ機能を有する部材については、同じ符号を付記し、その説明を繰り返さない。
【００５１】
上記実施形態１と比較すると、本実施形態では送受電効率を測定する構成を備える点で前者と相違する。以下この相違点を中心に説明する。
【００５２】
以下、本実施形態について、図５〜６を参照して詳細に説明する。
【００５３】
（給電処理のフローチャート）
図５は、本実施形態に係る給受電システムの給電処理のフローチャートである。本実施形態におけるステップＳ２０１〜ステップＳ２０３の処理内容は実施形態１におけるステップＳ１０１〜ステップ１０３の処理内容と同様のため、その説明を省略する。
【００５４】
次に、ステップＳ２０４において、所定の制御１を実施する。ここでいう所定の制御１とは、コイル位置を表示させる制御を指す。
【００５５】
続くステップＳ２０５〜ステップＳ２０９の処理内容は実施形態１におけるステップＳ１０５〜ステップ１０９の処理内容と同様のため、その説明を省略する。
【００５６】
次に、ステップＳ２１０において、制御部１５０は、電力制御部１５２にて送電電力と第１通信部１６０および第１通信部２２からの受電器２０における受電電力の情報から給電処理の効率を測定する。
【００５７】
次に、ステップＳ２１１において、制御部１５０は、測定した給電処理の効率が所定の値よりも大きいか小さいかを比較する。測定した給電処理の効率が所定の値よりも大きい場合（ステップＳ２１１：ＹＥＳ）、ステップＳ２１３に進む。
【００５８】
一方、測定した給電処理の効率が所定の値よりも小さい場合（ステップＳ２１１：ＮＯ）、ステップＳ２１２において、所定の制御２を実施する。ここでいう所定の制御２とは、ユーザに対して、給電対象物である受電器２０の再配置を促す制御を指す。
【００５９】
具体的には、制御部１５０は、複数のコイルが配置されたパネル１１０に、当該複数のコイルの各々の位置を表示させることにより、ユーザに対して、給電対象物の再配置を促してもよい。
【００６０】
続くステップＳ２１３の処理内容は実施形態１におけるステップＳ１１０の処理内容と同様のため、その説明を省略する。
【００６１】
上記の構成によれば、給電中の受電器２０が位置ずれにより充電効率が低下した場合、ユーザに受電器２０の再配置を促すことにより、充電時間が余計に伸びてしまうことを避けることができる。
【００６２】
（電子機器のパネル表示の変化）
図６は、図５における電子機器１０のパネル表示の変化を示す図である。図６では、受電器を円内に確実に置くように促していることを例示している。具体的には、図６における符号１２０ｃ、１２１ｃ、…１２８ｃは、それぞれコイル１２０、１２１、…、１２８に対応したコイル位置を示す。図６に示すように、左図では「下の円内で充電可能です」と表示され、右図では「受電器を下の円内に置いてください」と表示されている。また、促し方の一例として、例えばコイル位置１２０ｃ、１２１ｃ、…１２８ｃを示す円を強調表示してもよい。
【００６３】
〔実施形態３〕
本発明の他の実施形態について、以下に説明する。なお、説明の便宜上、上記実施形態にて説明した部材と同じ機能を有する部材については、同じ符号を付記し、その説明を繰り返さない。
【００６４】
上記実施形態１と比較すると、本実施形態では最適なコイルでの給電を促す構成を備える点で前者と相違する。以下この相違点を中心に説明する。
【００６５】
以下、本実施形態について、図７〜９を参照して詳細に説明する。
【００６６】
（コイル配置）
図７は、本実施形態に係る電子機器１０ａのコイル配置の一例を示す図である。図７に示すように、２種類以上のサイズの複数のコイル、例えば第１コイル１２０、第２コイル１２１、…、第６コイル１２５ａが、電子機器１０ａのパネル１１０において、例えば透明電極によりアレイ状に配置されている。
【００６７】
（給電処理のフローチャート）
図８は、図７における電子機器１０ａを含む給受電システムの給電処理のフローチャートである。本実施形態におけるステップＳ３０１〜ステップＳ３０６の処理内容は実施形態２におけるステップＳ２０１〜ステップ２０６の処理内容と同様のため、その説明を省略する。
【００６８】
次に、ステップＳ３０７において、制御部１５０は、ネゴシエーションで給電対象物である受電器から取得した情報を参照して、複数のコイルから、当該給電対象物に対する最適なコイルを特定する。ここでいう受電器から取得した情報とは、例えば受電器の仕様情報等が挙げられる。
【００６９】
続くステップＳ３０８〜ステップＳ３１０の処理内容は実施形態２におけるステップＳ２０７〜ステップ２０９の処理内容と同様のため、その説明を省略する。
【００７０】
次に、ステップＳ３１１において、制御部１５０は、ステップＳ３０９にて異物が検出されたか否かを判定する。
【００７１】
異物が検出されなかった場合（ステップＳ３０９：ＮＯ）、ステップＳ３１１において、制御部１５０は、特定したコイル上に受電器があるか否かを判定する。制御部１５０は、給電対象物への給電が、ステップＳ３０７にて特定した最適なコイルを介して行われていない場合（ステップＳ３１１：ＮＯ）、ステップＳ３１２において、ユーザに対して、上記最適なコイルを介した給電を行うよう促してもよい。一方、特定したコイル上に受電器がない場合（ステップＳ３１１：ＹＥＳ）、ステップＳ３１３に進む。
【００７２】
具体的には、制御部１５０は、前記複数のコイルが配置されたパネル１１０に、上記最適なコイルの位置を表示させることにより、ユーザに対して、上記最適なコイルを介した給電を行うよう促してもよい。
【００７３】
続くステップＳ３１３の処理内容は実施形態２におけるステップＳ２１３の処理内容と同様のため、その説明を省略する。
【００７４】
上記の構成によれば、受電器側のコイルサイズ、或は必要な電力の異なるものに対し、最適な給電効率のコイルに誘導可能な電子機器を提供できる。
【００７５】
（電子機器のパネル表示の変化）
図９は、図７における電子機器１０ａのパネル表示の変化を示す図である。図９では、最適なコイルの位置を表示させることにより、ユーザに対して、上記最適なコイルを介した給電を行うよう促していることを例示している。
【００７６】
具体的には、図６における符号１２０ｄ、１２１ｄ、…１２５ｄは、それぞれ図７に示すコイル１２０、１２１、…、１２５ａに対応したコイル位置を示す。図９に示すように、左図では「下の円内で充電可能です」、即ちコイル位置１２０ｄ、１２１ｄ、…１２５ｄ計６箇所で充電可能と表示され、右図では「下の小さな円内で給電してください」、即ち最適なコイルの位置１２０ｄ、１２１ｄ、…１２４ｄ計５箇所で給電してくださいということが表示されている。また、促し方の一例として、例えば受電器を現在のコイル位置１２５ｄから最適なコイルの位置であるコイル位置１２０ｄ、１２１ｄ、…１２４ｄに移動させるように、最適なコイルの位置であるコイル位置１２０ｄ、１２１ｄ、…１２４ｄを示す円を強調表示することが挙げられる。
【００７７】
〔ソフトウェアによる実現例〕
電子機器１０の制御ブロック（特に制御部１５０）は、集積回路（ＩＣチップ）等に形成された論理回路（ハードウェア）によって実現してもよいし、ソフトウェアによって実現してもよい。
【００７８】
後者の場合、電子機器１０は、各機能を実現するソフトウェアであるプログラムの命令を実行するコンピュータを備えている。このコンピュータは、例えば少なくとも１つのプロセッサ（制御装置）を備えていると共に、上記プログラムを記憶したコンピュータ読み取り可能な少なくとも１つの記録媒体を備えている。そして、上記コンピュータにおいて、上記プロセッサが上記プログラムを上記記録媒体から読み取って実行することにより、本発明の目的が達成される。上記プロセッサとしては、例えばＣＰＵ（Central Processing Unit）を用いることができる。上記記録媒体としては、「一時的でない有形の媒体」、例えば、ＲＯＭ（Read Only Memory）等の他、テープ、ディスク、カード、半導体メモリ、プログラマブルな論理回路などを用いることができる。また、上記プログラムを展開するＲＡＭ（Random Access Memory）などをさらに備えていてもよい。また、上記プログラムは、該プログラムを伝送可能な任意の伝送媒体（通信ネットワークや放送波等）を介して上記コンピュータに供給されてもよい。なお、本発明の一態様は、上記プログラムが電子的な伝送によって具現化された、搬送波に埋め込まれたデータ信号の形態でも実現され得る。
【００７９】
〔まとめ〕
本発明の態様１に係る電子機器（１０、１０ａ）は、複数のコイル（１２０、１２１、…）と制御部（１５０）とを備えている電子機器（１０、１０ａ）であって、複数のコイル（１２０、１２１、…）におけるインピーダンスの変化を検出する検出部（１３０、１３１、…）を備え、制御部（１５０）は、検出部（１３０、１３１、…）が検出した複数のコイル（１２０、１２１、…）における上記インピーダンスの変化を参照して、ユーザのジェスチャーを識別する。
【００８０】
上記の構成によれば、複数のコイル（１２０、１２１、…）のインピーダンスの変化によってユーザのジェスチャーを識別するので、暗闇の場合であっても、ユーザのジェスチャーを有効に識別できる。
【００８１】
本発明の態様２に係る電子機器（１０、１０ａ）は、上記態様１において、制御部（１５０）は、識別したユーザのジェスチャーに応じて、複数のコイル（１２０、１２１、…）の何れかを介した給電処理を制御してもよい。
【００８２】
上記の構成によれば、電子機器（１０、１０ａ）は、識別したユーザのジェスチャーに応じて、複数のコイル（１２０、１２１、…）の何れかを介した給電処理を好適に制御することができる。
【００８３】
本発明の態様３に係る電子機器（１０、１０ａ）は、上記態様２において、制御部（１５０）は、識別したユーザのジェスチャーが第１のジェスチャーである場合に、前記コイルを介した給電処理を開始してもよい。
【００８４】
上記の構成によれば、電子機器（１０、１０ａ）は、識別したユーザの第１のジェスチャーに応じて、前記コイルを介した給電処理を好適に開始することができる。
【００８５】
本発明の態様４に係る電子機器（１０、１０ａ）は、上記態様２又は３において、制御部（１５０）は、識別したユーザのジェスチャーが第２のジェスチャーである場合に、前記コイルを介した給電処理を停止してもよい。
【００８６】
上記の構成によれば、電子機器（１０、１０ａ）は、識別したユーザの第２のジェスチャーに応じて、前記コイルを介した給電処理を好適に停止することができる。
【００８７】
本発明の態様５に係る電子機器（１０、１０ａ）は、上記態様２から４の何れか１項において、制御部（１５０）は、上記給電処理の効率を示す効率情報を参照し、当該効率情報が示す効率が所定の値よりも小さい場合に、ユーザに対して、給電対象物の再配置を促してもよい。
【００８８】
上記の構成によれば、給電中の受電器（２０）が位置ずれにより充電効率が低下した場合、ユーザに受電器（２０）の再配置を促すことにより、充電時間が余計に伸びてしまうことを避けることができる。
【００８９】
本発明の態様６に係る電子機器（１０、１０ａ）は、上記態様５において、制御部（１５０）は、複数のコイル（１２０、１２１、…）が配置されたパネル（１１０）に、複数のコイル（１２０、１２１、…）の各々の位置を表示させることにより、ユーザに対して、上記給電対象物の再配置を促してもよい。
【００９０】
上記の構成によれば、給電中の受電器（２０）が位置ずれにより充電効率が低下した場合、複数のコイル（１２０、１２１、…）の各々の位置を表示させることにより、ユーザに受電器（２０）の再配置を好適に促すことにより、充電時間が余計に伸びてしまうことを避けることができる。
【００９１】
本発明の態様７に係る電子機器（１０、１０ａ）は、上記態様１から６の何れか１項において、制御部（１５０）は、給電対象物から取得した情報を参照して、複数のコイル（１２０、１２１、…）から、当該給電対象物に対する最適なコイルを特定し、上記給電対象物への給電が、上記最適なコイルを介して行われていない場合に、ユーザに対して、上記最適なコイルを介した給電を行うよう促してもよい。
【００９２】
上記の構成によれば、受電器側のコイルサイズ、或は必要な電力の異なるものに対し、最適な給電効率のコイルに誘導可能な電子機器を提供できる。
【００９３】
本発明の態様８に係る電子機器（１０、１０ａ）は、上記態様７において、制御部（１５０）は、複数のコイル（１２０、１２１、…）が配置されたパネル（１１０）に、上記最適なコイルの位置を表示させることにより、ユーザに対して、上記最適なコイルを介した給電を行うよう促してもよい。
【００９４】
上記の構成によれば、受電器側のコイルサイズ、或は必要な電力の異なるものに対し、最適なコイルの位置を表示させることにより、最適な給電効率のコイルに有効に誘導可能な電子機器を提供できる。
【００９５】
本発明の態様９に係る制御装置は、複数のコイル（１２０、１２１、…）を備えている電子機器（１０、１０ａ）を制御する制御装置であって、電子機器（１０、１０ａ）は、複数のコイル（１２０、１２１、…）におけるインピーダンスの変化を検出する検出部（１３０、１３１、…）を備え、当該制御装置は、検出部（１３０、１３１、…）が検出した複数のコイル（１２０、１２１、…）におけるインピーダンスの変化を参照して、ユーザのジェスチャーを識別するジェスチャー識別部（１５３）を備える。
【００９６】
上記の構成によれば、態様１と同様な効果を奏することができる。
【００９７】
本発明の態様１０に係る制御方法は、複数のコイル（１２０、１２１、…）を備えている電子機器（１０、１０ａ）を制御する制御装置の制御方法であって、複数のコイル（１２０、１２１、…）におけるインピーダンスの変化を検出する検出工程と、上記検出工程にて検出した複数のコイル（１２０、１２１、…）における上記インピーダンスの変化を参照して、ユーザのジェスチャーを識別する識別工程と、を含む。
【００９８】
上記の構成によれば、態様１と同様な効果を奏することができる。
【００９９】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【０１００】
１０、１０ａ  電子機器
２０  受電器（給電対象物）
２１  受電コイル
２２  第２通信部
１１０  パネル
１２０、１２１、…、１２８  コイル
１２０ｂ、１２１ｂ、…、１２８ｂ、１２０ｃ、１２１ｃ、…、１２８ｃ、１２０ｄ、１２１ｄ、…、１２５ｄ  コイル位置
１３０、１３１、…  検出部
１４０、１４１、…  スイッチ
１５０  制御部
１５１  接続制御部
１５２  電力制御部
１５３  ジェスチャー識別部
１６０  第１通信部
１７０  電力供給部
【図１】
2020071772.tif 000003
【図２】
2020071772.tif 000004
【図３】
2020071772.tif 000005
【図４】
2020071772.tif 000006
【図５】
2020071772.tif 000007
【図６】
2020071772.tif 000008
【図７】
2020071772.tif 000009
【図８】
2020071772.tif 000010
【図９】
2020071772.tif 000011
【図１０】
2020071772.tif 000012